(57)【要約】【課題】ファンの回転による騒音を防止すると共に、ヒートシンクに対する位置決めを行うことができ、効率的にファン支持具をヒートシンクに固定することができるファン支持具及び該ファン支持具を備えた映像表示装置を提供する。【解決手段】映像表示部で発生した熱を放熱するためのヒートシンクに対向するようにファンを支持するファン支持具に、ヒートシンクに固定される基部１と、基部１によって支持されており、ファンが載置される台座２と、基部１及び台座２間に介装された防振ゴム３，３，３とを備え、基部１は、ヒートシンクに対する固定箇所を位置決めするための第１及び第２穴部１１ｃ，１２ｃを備える。【選択図】図１
2008071830.tif 000002
【特許請求の範囲】
【請求項１】
ヒートシンクに対向するようにファンを支持するファン支持具において、
ヒートシンクに固定される第１支持部材と、
該第１支持部材によって支持されており、ファンが載置される第２支持部材と、
前記第１支持部材及び第２支持部材の間に介装された防振部材と
を備え、
前記第１支持部材は、
前記ヒートシンクに対する固定箇所を位置決めするための穴部又は凸部を備える
ことを特徴とするファン支持具。
【請求項２】
前記第２支持部材は、
ファンを挟持するための挟持片を備える
ことを特徴とする請求項１に記載のファン支持具。
【請求項３】
前記第２支持部材は、
前記防振部材を保持する防振部材保持部を備える
ことを特徴とする請求項１又は請求項２に記載のファン支持具。
【請求項４】
前記第２支持部材は、
中心部に通気孔が形成されており、ファンが載置される矩形の載置枠と、
該載置枠に設けられており、ファンを挟持するための挟持片と、
前記載置枠から前記通気孔より外側へ延設されており、前記防振部材を保持する防振部材保持部と
を備えることを特徴とする請求項１に記載のファン支持具。
【請求項５】
前記第１支持部材は、
中心部に通気孔が形成されており、前記第２支持部材を支持する支持枠と、
該支持枠の対向する２辺に設けられており、前記防振部材に当接する当接部と、
前記支持枠の対向する他の２辺に設けられており、前記支持枠をヒートシンクに固定するためのビス孔を有する脚部と
を備えることを特徴とする請求項１乃至請求項４のいずれか一つに記載のファン支持具。
【請求項６】
請求項１乃至請求項５のいずれか一つに記載のファン支持具と、
前記穴部又は凸部に嵌合する嵌合部を有し、映像を表示する映像表示部で発生した熱を放熱するためのヒートシンクと、
該ヒートシンクを空冷するためのファンと
を備え、
前記ファン支持具は、
前記ヒートシンクに固定され、前記ファンを支持している
ことを特徴とする映像表示装置。
【請求項７】
前記ヒートシンクは、
鉛直面に略平行な板状であり、
前記ファン支持具は、
前記防振部材を複数備えており、
前記防振部材が下方に偏在するように、前記ヒートシンクに固定されている
ことを特徴とする請求項６に記載の映像表示装置。
【発明の詳細な説明】
【技術分野】
【０００１】
本発明は、ヒートシンクに対向するようにファンを支持するファン支持具及び該ファン支持具を備えた映像表示装置に関する。
【背景技術】
【０００２】
液晶テレビは、キャビネットに保持された透過型の液晶パネルを備えており、液晶パネルの背面側には、液晶パネルを照明して映像を表示させるための直下型バックライトユニットが配設されている。直下型バックライトユニットは、液晶パネルに対向するバックライトシャーシ、冷陰極蛍光管、光学シート、電気回路等を備えている。
【０００３】
バックライトシャーシは、冷陰極蛍光管、電気回路等で発生した熱を放熱するためのヒートシンクを兼ねている。バックライトシャーシの背面側には、ブリッジ型のファン支持具が固定されており、ファン支持具はファンを支持している。ファンが回転した場合、後キャビネットの下部に形成された吸気孔から外部の空気が吸気される。吸気された空気は、バックライトシャーシに沿って温められながら上昇し、排気孔から外部へ排気される（例えば、特許文献１）。
なお、ファンを後キャビネット側に設けた場合、液晶パネル、直下型バックライトユニット等が配された前キャビネットと、後キャビネットとを配線する必要が生じるが、ファンをバックライトシャーシ側に設けた場合、前記配線が不要になるため、組立、保守点検が容易になる。
【０００４】
また、温められた空気を外部へ排気するためには、バックライトシャーシに設けられたファンと、後キャビネットに形成された排気孔とが対向するように、ファン支持具を位置決めする必要がある。そこで、より効率的に位置決めを行うべく、ファン支持具の固定箇所を位置決めするための凸部をバックライトシャーシに形成し、前記凸部に嵌合する穴部をファン支持具に形成し、生産性を向上させた液晶テレビが提案されている。
【特許文献１】特開２００６−５８６７９号公報
【発明の開示】
【発明が解決しようとする課題】
【０００５】
しかしながら、バックライトシャーシにファンを設けた場合、ファンの回転による振動がバックライトシャーシからキャビネットに伝達し、騒音が発生するという問題があった。
【０００６】
また、騒音を防振すべく、バックライトシャーシとファン支持具との間に防振部材を介装した場合、バックライトシャーシに対するファン支持具の位置決めを行うことができなくなり、生産性が低下するという問題があった。
【０００７】
本発明は、斯かる事情に鑑みてなされたものであり、位置決め用の穴部又は凸部を備え、ヒートシンクに固定される第１支持部材と、第１支持部材に支持されると共にファンが載置される第２支持部材とを別体で構成し、第１及び第２支持部材間に防振部材を介装するように構成することにより、ファンの回転による騒音を防止すると共に、ヒートシンクに対する位置決めを行うことができ、効率的にファン支持具をヒートシンクに固定することができるファン支持具及び該ファン支持具を備えた映像表示装置を提供することを目的とする。
【０００８】
本発明の他の目的は、ファンを挟持するための挟持片を第２支持部材に備えることにより、ファンをより効率的に第２支持部材の所定位置に載置することができるファン支持具及び該ファン支持具を備えた映像表示装置を提供することにある。
【０００９】
本発明の他の目的は、防振部材を保持する防振部材保持部を第２支持部材に備えることにより、第１支持部材及び第２支持部材の組立工程で、防振部材をより効率的に第１支持部材と第２支持部材との間に介装させることができるファン支持具及び該ファン支持具を備えた映像表示装置を提供することを目的とする。
【００１０】
本発明の他の目的は、介装された防振部材が当接する当接部と、ファン支持具をヒートシンクに固定するためのビス孔を有する脚部とを、支持枠の異なる辺に設けることにより、ヒートシンクにファン支持具を固定する際に、当接部が邪魔になることはなく、効率的にファン支持具をヒートシンクに固定することができるファン支持具及び該ファン支持具を備えた映像表示装置を提供することにある。
【００１１】
本発明の他の目的は、複数の防振部材を備え、該防振部材が下方に偏在するように、ファン支持具をヒートシンクに固定するように構成することにより、防振部材が上方に偏在するように固定された場合に比べ、ファンの回転による振動又は衝撃をより効果的に吸収することができる映像表示装置を提供することにある。
【課題を解決するための手段】
【００１２】
本発明に係るファン支持具は、ヒートシンクに対向するようにファンを支持するファン支持具において、ヒートシンクに固定される第１支持部材と、該第１支持部材によって支持されており、ファンが載置される第２支持部材と、前記第１支持部材及び第２支持部材の間に介装された防振部材とを備え、前記第１支持部材は、前記ヒートシンクに対する固定箇所を位置決めするための穴部又は凸部を備えることを特徴とする。
【００１３】
本発明に係るファン支持具は、前記第２支持部材は、ファンを挟持するための挟持片を備えることを特徴とする。
【００１４】
本発明に係るファン支持具は、前記第２支持部材は、前記防振部材を保持する防振部材保持部を備えることを特徴とする。
【００１５】
本発明に係るファン支持具は、前記第２支持部材は、中心部に通気孔が形成されており、ファンが載置される矩形の載置枠と、該載置枠に設けられており、ファンを挟持するための挟持片と、前記載置枠から前記通気孔より外側へ延設されており、前記防振部材を保持する防振部材保持部とを備えることを特徴とする。
【００１６】
本発明に係るファン支持具は、前記第１支持部材は、中心部に通気孔が形成されており、前記第２支持部材を支持する支持枠と、該支持枠の対向する２辺に設けられており、前記防振部材に当接する当接部と、前記支持枠の対向する他の２辺に設けられており、前記支持枠をヒートシンクに固定するためのビス孔を有する脚部とを備えることを特徴とする。
【００１７】
本発明に係る映像表示装置は、上述のいずれか一つのファン支持具と、前記穴部又は凸部に嵌合する嵌合部を有し、映像を表示する映像表示部で発生した熱を放熱するためのヒートシンクと、該ヒートシンクを空冷するためのファンとを備え、前記ファン支持具は、前記ヒートシンクに固定され、前記ファンを支持していることを特徴とする。
【００１８】
本発明に係る映像表示装置は、前記ヒートシンクは、鉛直面に略平行な板状であり、前記ファン支持具は、前記防振部材を複数備えており、前記防振部材が下方に偏在するように、前記ヒートシンクに固定されていることを特徴とする。
【００１９】
本発明にあっては、第１支持部材はヒートシンクに固定され、ファンが載置される第２支持部材を支持している。第１支持部材と第２支持部材との間には、防振部材が介装されているため、ファンの回転による振動が第２支持部材から第１支持部材へ伝達することを防止することができる。
また、第１支持部材は、ヒートシンクに対してファン支持具の固定箇所を位置決めするための穴部又は凸部を備えているため、ファン支持具をヒートシンクの所定箇所に効率的に固定することができる。
特に、前記穴部又は凸部に嵌合する嵌合部を有し、映像を表示する映像表示部で発生した熱を放熱するためのヒートシンクを映像表示装置に備え、ファン支持具の穴部又は突部にヒートシンクの嵌合を嵌合させるように構成した場合、映像表示装置の所定位置にファンを備え、ファンの回転による騒音を防止することができる。
【００２０】
本発明にあっては、第２支持部材は、ファンを挟持する挟持片を備えているため、ファンを第２支持部材の所定位置に容易に載置することができる。
【００２１】
本発明にあっては、第２支持部材は、防振部材を保持する防振部材保持部を備えている。従って、防振部材保持部に防振部材を保持させた後、第１支持部材及び第２支持部材を接合することにより、より効率的に第１支持部材及び第２支持部材間に防振部材を介装させることができる。
【００２２】
本発明にあっては、第１支持部材は、中心部に通気孔が形成された矩形の支持枠を備えている。支持枠の対向する２辺には、防振部材に当接する当接部が設けられており、他の２辺には、支持枠をヒートシンクに固定するためのビス孔を有する脚部が設けられている。従って、通気孔の中心線方向から第１支持部材を見た場合、当接部及び脚部は異なる箇所に位置している。
よって、ビスでファン支持具をヒートシンクに固定する際、当接部が固定の邪魔になることはない。
【００２３】
本発明にあっては、ファンは、鉛直面に略平行な板状のヒートシンクに対して、防振部材が下方に偏在するように固定されている。ファン支持具には、ファン支持具の上部に比べて下部により大きい荷重が加わるが、防振部材は下方に偏在しているため、ファンの回転による振動、映像表示装置の落下の衝撃等をより効果的に吸収することができる。
【発明の効果】
【００２４】
本発明によれば、ファンの回転による騒音を防止すると共に、ヒートシンクに対する位置決めを行うことができ、効率的にファン支持具をヒートシンクに固定することができる。
【００２５】
本発明によれば、ファンをより効率的に第１支持部材の所定位置に載置することができる。
【００２６】
本発明によれば、第１支持部材及び第２支持部材の組立工程で、防振部材をより効率的に第１支持部材と第２支持部材との間に介装させることができる。
【００２７】
本発明によれば、ヒートシンクにファン支持具を固定する際に、当接部が邪魔になることはなく、効率的にファン支持具をヒートシンクに固定することができる。
【００２８】
本発明によれば、防振部材が上方に偏在するように、ファン支持具がヒートシンクに固定された場合に比べ、ファンの回転による振動又は映像表示装置の落下の衝撃をより効果的に吸収することができる。
【発明を実施するための最良の形態】
【００２９】
以下、本発明をその実施の形態を示す図面に基づいて詳述する。
（実施の形態１）
図１は、本発明の実施の形態１に係るファン支持具Ａの構成を模式的に示す斜視図、図２は、ファン支持具Ａの分解斜視図である。
図中Ａは、図示しない板状のヒートシンクに固定されるブリッジ型の基部１（第１支持部材）と、基部１に支持されると共に、ファンＢ（図５参照）が載置される台座２（第２支持部材）との間に防振ゴム３，３，３を介装してなるファン支持具である。
【００３０】
図３は、基部１を模式的に示す正面図である。基部１は、略正方形の外縁をなす第１乃至第４辺１０ａ，１０ｂ，１０ｃ，１０ｄを有しており、中心部に円形の通気孔１０ｅを形成した板状の支持枠１０を備えている。第１辺及び第２辺１０ａ，１０ｂは略平行である。
【００３１】
支持枠１０には、該支持枠１０に対して略垂直に屈曲した矩形板状の第１乃至第３脚部１１，１２，１３が形成されている。第１脚部１１は、第１辺１０ａに形成されており、第１辺１０ａに連続する第３辺１０ｃ側へ偏倚している。また、第２及び第３脚部１２，１３は、第１辺１０ａに略平行な第２辺１０ｂの両端側に夫々形成されている。
【００３２】
第１乃至第３脚部１１，１２，１３の先端には、第１より外側方向へ略垂直に屈曲した第１乃至第３被固定板部１１ａ，１２ａ，１３ａが夫々形成されている。第１乃至第３被固定板部１１ａ，１２ａ，１３ａの適宜箇所には、ファン支持具Ａをヒートシンクに固定するためのビス孔１１ｂ，１２ｂ，１３ｂが夫々形成されている。また、第１及び第２被固定板部１１ａ，１２ａには、ファン支持具Ａを図示しないヒートシンクに対する固定箇所を位置決めするための第１及び第２穴部１１ｃ，１２ｃが夫々形成されている。
【００３３】
また、支持枠１０の第３辺１０ｃには、防振ゴム３，３に当接する第１及び第２当接片１４，１５が通気孔１０ｅより外側へ延設されている。また、支持枠１０の第４辺１０ｄにも、防振ゴム３に当接する第３当接片１６が通気孔１０ｅより外側へ延設されている。第１乃至第３当接片１４，１５，１６は、角部が湾曲した矩形状であり、防振ゴム３，３，３を介して台座２を固定するための台座固定用ねじ孔１４ａ，１５ａ，１６ａが夫々形成されている。
【００３４】
更に、支持枠１０は、台座２にファンＢを固定するためのファン固定ねじＣ（図５参照）の先端が挿通する挿通孔１７を各頂点部分に有している。
【００３５】
図４は、台座２を模式的に示す正面図である。台座２は、外縁が支持枠１０に倣う略正方形であり、支持枠１０と同様の通気孔２０ａを中心部分に形成した板状の載置枠２０を備えている。
【００３６】
載置枠２０の一辺には、第１及び第２当接片１４，１５に対向するように第１及び第２防振ゴム保持部２１，２２が形成されている。また、前記一辺と略平行な他辺には、第３当接片１６に対向するように第３防振ゴム保持部２３が形成されている。
第１乃至第３防振ゴム保持部２１，２２，２３は、円柱状の防振ゴム３，３，３を挟持する略Ｕ字状をなし、載置枠２０より外側に延設されている。
【００３７】
また、載置枠２０の各辺には、ファンＢ（図５参照）の外枠を四方から挟持する挟持片２４が、第１乃至第３防振ゴム保持部２１，２２，２３を避けるように略垂直に形成されている。
【００３８】
更に、載置枠２０の４頂点部には、ファンＢを台座２に固定するためのファン固定ねじＣ（図５参照）が螺合するファン固定用ねじ孔２５が形成されている。
【００３９】
防振ゴム３，３，３は略円柱状であり、外周面の中心軸方向略中央部は、第１乃至第３防振ゴム保持部２１，２２，２３にて保持される縮径した被保持部３ａ，３ａ，３ａが形成されている。また、防振ゴム３，３，３は中心部に台座固定ねじ４，４，４が挿通する孔部３ｂ，３ｂ，３ｂが形成されている。そして、防振ゴム３，３，３は、第１乃至第３防振ゴム保持部２１，２２，２３に保持された状態で、基部１の第１乃至第３当接片１４，１５，１６に当接しており、防振ゴム３，３，３を挿通した台座固定ねじ４，４，４が台座固定用ねじ孔１４ａ，１５ａ，１６ａに螺合することによって、台座２が基部１に固定されている。
【００４０】
図５は、ファンＢを支持しているファン支持具Ａの構成を模式的に示す斜視図である。ファンＢは、角柱状の外枠を有する角形軸流ファンである。ファンＢの頂点部分には、ファン固定ねじＣが挿通しており、ファン固定ねじＣがファン固定用ねじ孔２５に螺合して、ファンＢが台座２に固定されている。また、ファンＢは、挟持片２４によって挟持されている。
【００４１】
このように構成されたファン支持具Ａにあっては、ファンＢの回転による騒音を防止すると共に、ヒートシンクに対する位置決めを行うことができ、効率的にファン支持具Ａをヒートシンクに固定することができる。
【００４２】
また、ファンＢをより効率的に台座２の所定位置に載置し、ねじ止め固定することができる。
【００４３】
更に、基部１及び台座２の組立工程で、防振ゴム３，３，３をより効率的に基部１と台座２との間に介装させることができる。
【００４４】
更にまた、ヒートシンクにファン支持具Ａを固定する際に、第１乃至第３当接片１４，１５，１６が邪魔になることはなく、効率的にファン支持具Ａをヒートシンクに固定することができる。
【００４５】
なお、実施の形態１にあっては、図２に示すような基部、台座及び防振ゴムからなるファン支持具を説明したが、ファン支持具を別体の第１支持部材及び第２支持部材で構成し、第１支持部材及び第２支持部材間に防振ゴムを介装させる構成であれば、他の形状であっても良い。
【００４６】
また、ヒートシンクに対する固定箇所を位置決めするための第１穴部及び第２穴部を備えたファン支持具を説明したが、位置決め用の凸部又は凹部を備えるように構成しても良い。
【００４７】
更に、第１乃至第３防振ゴム保持部、挟持片等を備えているが、第１乃至第３防振ゴム保持部、挟持片を備えない構成でも良い。
【００４８】
（実施の形態２）
図６は、本発明の実施の形態２に係る映像表示装置を模式的に示す正面側の斜視図、図７は、映像表示装置を模式的に示す背面側の斜視図である。
【００４９】
実施の形態２に係る映像表示装置は、テレビ映像を表示する映像表示面５ａを正面側に有し、正面視矩形をなす映像表示部５と、映像表示面５ａが露出するように映像表示部５を収容するキャビネット６とを備えている。キャビネット６は、前キャビネット６１及び後キャビネット６２からなり、ビスで固定されている。
【００５０】
映像表示部５は、液晶パネル、液晶パネルの背面側に配置された光学シート、直下型バックライトユニット、回路基板等を備えている。
【００５１】
直下型バックライトユニットは、図示しない冷陰極蛍光管、冷陰極蛍光管を支持するバックライトシャーシ７（図８参照）等を備えている。バックライトシャーシ７は、映像表示部５で発生した熱を放熱するためのヒートシンクを兼ねている。
【００５２】
図８は、後キャビネット６２を取り外した映像表示装置を模式的に示す背面図、図９は、バックライトシャーシ７にねじ止め固定されたファン支持具Ａ及びファンＢを模式的に示す背面図である。
【００５３】
映像表示装置は、ヒートシンクを介して映像表示部５の熱を放熱するためのファンＢ及びファン支持具Ａを備えている。ファン支持具Ａの構成は、実施の形態１に係るファン支持具Ａと同様である。
ヒートシンクは、ファンＢが後キャビネット６２の排気孔６２ａに対向するようにファン支持具Ａを位置決めし、且つ防振ゴム３，３，３が下方に偏在するように、つまり基部１の第３辺１０ｃが下方に、第４辺１０ｄが上方に位置するようにファンＢの姿勢を決めるための凸部７ａ，７ｂを備えている。
ファン支持具Ａは、第１及び第２穴部１１ｃ，１２ｃに凸部７ａ，７ｂが嵌合することで位置決めが行われる。また、ビスＤ，Ｄ，Ｄがビス孔１１ｂ，１２ｂ，１３ｂを挿通し、バックライトシャーシ７に螺合することによって、ファン支持具Ａはバックライトシャーシ７にねじ止め固定される。
【００５４】
このように構成された映像表示装置にあっては、防振ゴム３，３，３が上方に偏在するように固定された場合に比べ、ファンＢの回転による振動又は衝撃をより効果的に吸収することができる。
【００５５】
また、バックライトシャーシ７に位置決め用の凸部７ａ，７ｂを備えているため、ファン支持具Ａを効率的に台座２の所定位置に載置し、ねじ止め固定することができる。
【００５６】
更に、ファン支持具Ａは、通気孔１０ｅの中心線に関して非対称的に第１乃至第３脚部１１，１２，１３を備えており、バックライトシャーシ７は、第１及び第２脚部１２に設けられた第１及び第２穴部１１ｃ，１２ｃに嵌合する凸部７ａ，７ｂを備えているため、ファン支持具Ａの姿勢も決定することができる。
【００５７】
実施の形態２に係るファン支持具の構成、作用及び効果は、実施の形態１に係るファン支持具の構成、作用及び効果と同様であるため、対応する箇所には同様の符号を付してその詳細な説明を省略する。
【図面の簡単な説明】
【００５８】
【図１】本発明の実施の形態１に係るファン支持具の構成を模式的に示す斜視図である。
【図２】ファン支持具の分解斜視図である。
【図３】基部を模式的に示す正面図である。
【図４】台座を模式的に示す正面図である。
【図５】ファンを支持しているファン支持具の構成を模式的に示す斜視図である。
【図６】本発明の実施の形態２に係る映像表示装置を模式的に示す正面側の斜視図である。
【図７】映像表示装置を模式的に示す背面側の斜視図である。
【図８】後キャビネットを取り外した映像表示装置を模式的に示す背面図である。
【図９】バックライトシャーシにねじ止め固定されたファン支持具及びファンを模式的に示す背面図である。
【符号の説明】
【００５９】
Ａ  ファン支持具
Ｂ  ファン
Ｃ  ファン固定ねじ
１  基部（第１支持部材）
２  台座（第２支持部材）
３  防振ゴム（防振部材）
４  台座固定ねじ
５  映像表示部
５ａ  映像表示面
６  キャビネット
７  バックライトシャーシ
７ａ，７ｂ  凸部（嵌合部）
１０  支持枠
１０ｅ  通気孔
１１  第１脚部
１１ｃ  第１穴部
１２  第２脚部
１２ｃ  第２穴部
１３  第３脚部
１１ｂ，１２ｂ，１３ｂ  ビス孔
１４  第１当接片（当接部）
１５  第２当接片（当接部）
１６  第３当接片（当接部）
２０  載置枠
２１  第１防振ゴム保持部（防振部材保持部）
２２  第２防振ゴム保持部（防振部材保持部）
２３  第３防振ゴム保持部（防振部材保持部）
２４  挟持片
【図１】
2008071830.tif 000003
【図２】
2008071830.tif 000004
【図３】
2008071830.tif 000005
【図４】
2008071830.tif 000006
【図５】
2008071830.tif 000007
【図６】
2008071830.tif 000008
【図７】
2008071830.tif 000009
【図８】
2008071830.tif 000010
【図９】
2008071830.tif 000011